(57)【要約】【課題】設計の自由度が高く、どのような大きさの外構角柱であっても簡単に施工でき、しかも、在庫管理が簡単な外構リフォーム構造を提供する。【解決手段】既存の外構角柱Ｐの角部に沿い、その全長にわたって配置され、その各辺幅が外構角柱Ｐの対応辺幅のそれぞれ１／２以上である断面Ｌ形の長尺外装部材１２と、外構角柱Ｐの側面に装着され、外構角柱Ｐ間に設けられる仕切り部材用の取付部材１４と、長尺外装部材１２によって囲まれた部分の頂部開口２２を閉塞するための、該頂部開口２２を構成する辺の長さに合わせて形成されたキャップ１６とで構成されたことを特徴とする。【選択図】図１
2011231587.tif 000002
【特許請求の範囲】
【請求項１】
既存の外構角柱の角部に沿い、その全長にわたって配置され、その各辺幅が外構角柱の対応辺幅のそれぞれ１／２以上である断面Ｌ形の長尺外装部材と、
前記外構角柱の側面に装着され、外構角柱間に設けられる仕切り部材用の取付部材と、
前記長尺外装部材によって囲まれた部分の頂部開口を閉塞するための、該頂部開口を構成する辺の長さに合わせて形成されたキャップとで構成されたことを特徴とする外構リフォーム構造。
【請求項２】
既存の外構角柱の角部に沿い、その全長にわたって配置され、その一方の辺幅が外構角柱の対応辺幅の１／２以上であり、他方の辺幅が外構角柱の対応辺幅の１／２よりも短い断面Ｌ形の長尺外装部材と、
前記長尺外装部材間における該外構角柱の露出面を覆う外装板材と、
前記外構角柱の側面に装着され、外構角柱間に設けられる仕切り部材用の取付部材と、
外装部材及び外装板材によって囲まれた部分の頂部開口を閉塞するための、該頂部開口を構成する辺の長さに合わせて形成されたキャップとで構成されたことを特徴とする外構リフォーム構造。
【請求項３】
既存の外構角柱の角部に沿い、その全長にわたって配置され、その各辺幅が外構角柱の対応辺幅のそれぞれ１／２よりも短い断面Ｌ形の長尺外装部材と、
前記長尺外装部材間における該外構角柱の露出面を覆う外装板材と、
前記外構角柱の側面に装着され、外構角柱間に設けられる仕切り部材用の取付部材と、
外装部材及び外装板材によって囲まれた部分の頂部開口を閉塞するための、該頂部開口を構成する辺の長さに合わせて形成されたキャップとで構成されたことを特徴とする外構リフォーム構造。
【請求項４】
外構角柱が門柱であって、取付部材が門扉取付金具装着用柱であることを特徴とする請求項１から３の何れかに記載の外構リフォーム構造。
【請求項５】
外構角柱がフェンス柱であって、取付部材がフェンス取付金具装着用柱であることを特徴とする請求項１から３の何れかに記載の外構リフォーム構造。
【発明の詳細な説明】
【技術分野】
【０００１】
本発明は、既存の外構角柱を利用して新たな外構（門扉やフェンス等）を構築することができる外構リフォーム構造に関する。
【背景技術】
【０００２】
屋敷周りに設けられる外構には、観音開閉式の門扉、伸縮開閉式の伸縮門扉或いは敷地を囲むフェンス等、様々なものがある。これら外構の設置には、いずれの場合も基礎となる外構角柱が必要であるため、外構を新しいものに取り替えようとすれば、古い外構角柱を新しいものに取り替えるための土間工事が必要であった。
【０００３】
ところが、外構角柱は、その下端部が地中に埋設されており、また、外構角柱の周囲はコンクリートで固められているのが一般的であることから、上記土間工事には大変な労力と時間を要し、また、多大な費用もかかるものであるため、外構のリフォームはユーザーから敬遠されているという実態があった。
【０００４】
このような問題点に鑑みて、従来、外構角柱の土間工事を必要とせず、既存の外構角柱をそのまま利用して新しい外構を構築する技術が各種提案されるようになってきた。
【０００５】
その一例として、例えば特許文献１には、既存の外構角柱を覆うように新規の柱を取り付け、この新規の柱に新しい門扉等を取り付けることで外構をリフォームする外構リフォーム構造が開示されている。
【０００６】
この従来技術では、既存の外構角柱をそのまま利用して外構を新しく構築するようにしているので、古い外構角柱を新しいものに取り替える土間工事を必要とすることはなく、外構のリフォームを簡単に行うことができるようになるとされている。
【先行技術文献】
【特許文献】
【０００７】
【特許文献１】特開２００７−２３９３３３号公報（図４）
【発明の概要】
【発明が解決しようとする課題】
【０００８】
ところで、外構のリフォームを請け負う際には、外構の取付位置の微調整といった顧客からの細かな要求にも応じることができるような設計の自由度が大いに求められる。また、既存の外構角柱は、施工メーカーによってその大きさがまちまちであることから、外構のリフォームを請け負うためには、どのようなサイズの外構角柱であっても対応できるようにすることも重要な要素となる。
【０００９】
ところが、従来技術のものは、既存の外構角柱を覆う部材である新規の柱が、外構角柱を覆う部分と、門扉やフェンスが取り付けられる部分とが一体化した１つの部材として構成されていることから、外構角柱を覆う部分に対する、門扉やフェンスが取り付けられる部分の位置が一義的に決まってしまい、設計の自由度が大幅に狭められるという問題があった。
【００１０】
また、両者が１つの部材として構成されているために、１種類の新規柱だけでは、種々の大きさの外構角柱に取り付けることができなかった。もちろん、サイズの異なる多種類の新規柱を揃えておけば、様々な大きさの外構角柱に対応することも可能であるが、その分在庫管理が煩雑化してしまい、コストに跳ね返ってしまうという問題がある。
【００１１】
本発明は、これらの問題点に鑑みてなされたものであり、設計の自由度が高く、どのような大きさの外構角柱であっても簡単に施工でき、しかも、在庫管理が簡単な外構リフォーム構造を提供することにある。
【課題を解決するための手段】
【００１２】
請求項１に記載した発明は、「既存の外構角柱Ｐの角部に沿い、その全長にわたって配置され、その各辺幅が外構角柱Ｐの対応辺幅のそれぞれ１／２以上である断面Ｌ形の長尺外装部材１２と、外構角柱Ｐの側面に装着され、外構角柱Ｐ間に設けられる仕切り部材用の取付部材１４と、長尺外装部材１２によって囲まれた部分の頂部開口２２を閉塞するための、該頂部開口２２を構成する辺の長さに合わせて形成されたキャップ１６とで構成された」ことを特徴とする外構リフォーム構造１０である。
【００１３】
請求項２に記載した発明は、「既存の外構角柱Ｐの角部に沿い、その全長にわたって配置され、その一方の辺幅が外構角柱Ｐの対応辺幅の１／２以上であり、他方の辺幅が外構角柱Ｐの対応辺幅の１／２よりも短い断面Ｌ形の長尺外装部材１２と、長尺外装部材間における該外構角柱Ｐの露出面を覆う外装板材３２と、外構角柱Ｐの側面に装着され、外構角柱Ｐ間に設けられる仕切り部材用の取付部材１４と、長尺外装部材１２及び外装板材３２によって囲まれた部分の頂部開口２２を閉塞するための、該頂部開口２２を構成する辺の長さに合わせて形成されたキャップ１６とで構成された」ことを特徴とする外構リフォーム構造１０である。
【００１４】
請求項３に記載した発明は、「既存の外構角柱Ｐの角部に沿い、その全長にわたって配置され、その各辺幅が外構角柱の対応辺幅のそれぞれ１／２よりも短い断面Ｌ形の長尺外装部材１２と、長尺外装部材間における該外構角柱の露出面を覆う外装板材３２と、外構角柱Ｐの側面に装着され、外構角柱Ｐ間に設けられる仕切り部材用の取付部材１４と、長尺外装部材１２及び長尺外装板材３２によって囲まれた部分の頂部開口２２を閉塞するための、該頂部開口２２を構成する辺の長さに合わせて形成されたキャップ１６とで構成された」ことを特徴とする外構リフォーム構造１０である。
【００１５】
請求項４に記載した発明は、請求項１〜３に記載された何れかの外構リフォーム構造において、「外構角柱Ｐが門柱であって、取付部材１４が門扉取付金具装着用柱である」ことを特徴とするものである。
【００１６】
請求項５に記載の発明は、他の実施例で「外構角柱Ｐがフェンス柱であって、取付部材１４がフェンス取付金具装着用柱である」ことを特徴とするものである。
【発明の効果】
【００１７】
これらの発明によれば、既存の外構角柱を覆う部材である長尺外装部材と、門扉やフェンス等が取り付けられる部材である取付部材との別部材として構成されている。したがって、長尺外装部材に対する取付部材の取り付け位置を任意に設定することが可能であり、設計の自由度が大幅に高められる。また、既存の外構角柱がどのような大きさのものであっても、長尺外装部材単独あるいは、長尺外装部材と外装板材とを組み合わせるだけでこれを簡単にリフォームすることができるので、その施工は非常に簡単であるし、しかも、在庫管理が非常に簡単となる。
【図面の簡単な説明】
【００１８】
【図１】この発明の一実施例の外構リフォーム構造を示す斜視図である。
【図２】図１実施例における平断面図である。
【図３】キャップを示す分解斜視図である。
【図４】第１実施例における変形例を示す平断面図である。
【図５】第１実施例におけるさらに別の変形例を示す平断面図である。
【図６】第２実施例の外構リフォーム構造を示す平断面図である。
【図７】第３実施例の外構リフォーム構造を示す平断面図である。
【図８】第４実施例の外構リフォーム構造を示す平断面図である。
【発明を実施するための形態】
【００１９】
以下、本発明を図面に従って説明する。図１は、本発明にかかる第１実施例の外構リフォーム構造１０を示す分解斜視図であり、図２は、外構リフォーム構造１０の平断面図である。
【００２０】
外構リフォーム構造１０は、既設の外構角柱Ｐを基礎として構築されるものである。１つの外構角柱Ｐを利用して外構リフォーム構造１０が構築される場合もあれば、２つ或いはそれ以上の複数の外構角柱Ｐを用いて外構リフォーム構造１０が構築される場合もあるが、ここでは、図１のように左右一対の外構角柱Ｐを用いて外構としての門扉を構築する場合をその代表例として説明する。なお、左右一対の外構角柱Ｐを用いて外構としての門扉を構築する場合、その吊元側と戸当側とで共通の部材が用いられ、左右対称のものとして構成することができる。そこで、以下には、一方の外構角柱Ｐに構築される外構リフォーム構造１０について説明し、他方については説明を省略する。
【００２１】
図１〜図２に示すように、外構リフォーム構造１０は、既存の外構角柱Ｐ、複数（本実施例では４つ）の長尺外装部材１２、取付部材１４およびキャップ１６により大略構成されている。
【００２２】
既存の外構角柱Ｐは、断面矩形状のブロック状のもので、その下端部が地中に埋設されている。本実施例では、外構角柱Ｐがコンクリート製の門柱であり、この門柱に門扉を取り付ける場合を例として取り上げるが、その材質や形状は特に限定されるものではなく、例えば、レンガを積み上げて形成されたブロック状のもの、アルミや鋼などの金属製の角パイプ或いは枕木のような木の角材であってもよい。もちろん、外構角柱Ｐは門柱に限定されるものではなく、たとえばフェンス柱であってもよい（この場合は、外構角柱Ｐとしてのフェンス柱に、外構としてのフェンスが取り付けられることになる）。
【００２３】
各長尺外装部材１２は、外構角柱Ｐの角部に沿って取り付けられて外構角柱Ｐの周囲を覆う化粧材として機能するもので、その断面が略Ｌ字状に形成された長尺の金属製板材であり、本実施例ではアルミの押し出し材により形成されている。
【００２４】
長尺外装部材１２の各辺の幅は、外構角柱Ｐの対応辺幅のそれぞれ１／２以上に設定されており、本実施例では、その一方の辺（外構角柱Ｐの長辺に沿う側の辺）が外構角柱Ｐの対応辺の幅の１／２の長さに設定されており、他方の辺（外構角柱Ｐの短辺に沿う側の辺）が外構角柱Ｐの対応辺の幅の１／２よりも大きく設定されている。
【００２５】
長尺外装部材１２の各辺幅を上述長さに設定したのは、長尺外層部材１２を外構角柱Ｐの隅部に配置したときに、隣合う長尺外装部材１２同士の間に隙間が生じないようにするためである。すなわち、長尺外装部材１２の一方の辺（外構角柱Ｐの長辺に沿う側の辺）のように、その辺幅が外構角柱Ｐの対応辺幅の１／２の大きさに設定されている場合は、隣り合う長尺外装部材１２同士が重ならず、互いに突き合わされた状態となる。また、長尺外装部材１２の他方の辺（外構角柱Ｐの短辺に沿う側の辺）のように、その辺幅が外構角柱Ｐの対応辺幅の１／２よりも大きく設定されている場合には、隣会う長尺外装部材１２の端部が互いに重なり合う状態となる。換言すれば、本実施例では、隣合う長尺外装部材１２の間に隙間が生じないように各長尺外装部材１２の辺幅が設定されていれば良く、例えば、全ての辺幅を外構角柱Ｐの対応辺幅の１／２以上に設定してもよいし、外構角柱Ｐの対応辺幅の１／２の長さに設定するようにしてもよい。
【００２６】
なお、長尺外装部材１２の各辺幅は、施工現場で外構角柱Ｐの辺幅に応じて適宜切断することで決定される。したがって、取付対象となる外構角柱Ｐの形状によっては、図１実施例のように両辺の長さが互いに異なる不等辺のものとして構成される場合もあれば、後述する図６実施例に示すように、両辺の長さが同じ等辺のものとして構成される場合もある。
【００２７】
取付部材１４は、外構角柱Ｐの側面に装着され、外構角柱Ｐ間に設けられ、門扉やフェンス等の仕切り部材を取り付けるための部材として機能するもので、板状の連結部１４ａと、連結部１４ａの左右両側に一体的に設けられたレール取付部１４ｂ，１４ｃとで構成されている。
【００２８】
各レール取付部１４ｂ，１４ｃにおける外構角柱Ｐへの取付側とは反対側の面には、レール取付溝１４ｄ，１４ｅがそれぞれ形成されている。また、各レール取付部１４ｂ，１４ｃにおける側面であってレール取付部１４ｂ，１４ｃ同士が互いに対向する面は段状に形成されており、当該側面の開口側中段部分には、リブ１４ｆ，１４ｇがそれぞれ延設されている。
【００２９】
なお、本実施例では、アルミニウムなどの金属を素材として形成された押出型材を所定寸法にて切り出すことにより取付部材１４が形成されている。
【００３０】
キャップ１６は、外構角柱Ｐの角部に沿って取り付けられている４つの長尺外装部材１２によって囲まれた部分の頂部開口２２を閉塞するためのもので、図３に示すように、側部材１８と、天板部材２０とで構成されている。
【００３１】
側部材１８は、耐候性を有する合成樹脂（例えば、アクリル樹脂やＡＢＳ樹脂など）を素材とし、断面略Ｔ字型に形成された長尺部材を所定寸法で切り出したもので、天板保持部１８ａと、天板保持部１８ａの下面中央部分から垂設された差込部１８ｂとを有する。天板保持部１８ａの側面には、天板部材２０を差し込むための凹溝１８ｃがその長手方向全長に亘って形成されている。
【００３２】
天板部材２０は、側部材１８と同様、耐候性を有する合成樹脂を素材として形成された矩形板状のもので、側部材１８を既存の外構角柱Ｐにあわせて矩形状に折り曲げたときにその中央部分に生じる隙間を塞ぐよう、その大きさが適宜設定されている。
【００３３】
キャップ１６を形成する際には、上記頂部開口２２を構成する辺の長さに合わせて側部材１８を切り出し（本実施例では、長尺外装部材１２の内側に差込部１８ｂを差し込むことができるようにその長さが設定される）、天板保持部１８ａの折曲部分に予めＶ字状の切り欠き１９を設けておく。そして、天板保持部１８ａの差込部１８ｂに天板部材２０を差し込みつつ、側部材１８を矩形状に折り曲げることによりキャップ１６が完成する。
【００３４】
次に、外構リフォーム構造１０を構築する方法について説明する。まず、外構角柱Ｐの角部に沿って長尺外装部材１２を配置する。
【００３５】
本実施例では、長尺外装部材１２の一方の辺（外構角柱Ｐの長辺に沿う側の辺）が外構角柱Ｐの対応辺の１／２の大きさに設定されており、隣合う長尺外装部材１２同士は、その端部が互いに突き合わされた状態で配置される。
【００３６】
一方、長尺外装部材１２の他方の辺（外構角柱Ｐの短辺に沿う側の辺）は、外構角柱Ｐの対応辺の１／２よりも大きく設定されており、隣合う長尺外装部材１２同士は、その端部が重なり合った状態で（オーバーラップした状態で）配置されることになる。
【００３７】
そして、長尺外装部材１２が、このオーバーラップ部分においてビス２４によって外構角柱Ｐに固定される。なお、長尺外装部材１２の固定手段として、本実施例ではビス２４を用いたが、代わりにリベット、ボルトナット、アンカー等の固定具を適宜使用することも可能である。
【００３８】
次に、取付部材１４を長尺外装部材１２の表面であって、左右の外構角柱Ｐ同士が対向する側の面に装着し、所定の位置に位置決めし、取付部材１４と長尺外装部材１２とを一緒に外構角柱Ｐにビス２６で固定する。なお、取付部材１４の固定手段としては、上述同様、ビス２６の代わりにリベット、ボルトナット、アンカー等の固定具を適宜使用することが可能である。また、本実施例では、取付部材１４を、外構角柱Ｐの取付対象面の幅方向中央部分に取り付けるようにしたが、施主の要求に応じて幅方向のどちらか一方に偏らせた状態で取り付けるようにしてもよい（図示省略）。
【００３９】
そして、最後に、長尺外装部材１２によって囲まれた部分の頂部開口２２にキャップ１６を被せて頂部開口２２を閉塞し、長尺外装部材１２とキャップ１６とをリベットなどの固定手段２７で固定すれば外構リフォーム構造１０が完成する。なお、本実施例では、差込部１８ｂが長尺外装部材１２の内側に位置するようキャップ部１６を内嵌式のものとして構成しているが、差込部１８ｂが長尺外装部材１２の外側に位置するよう、キャップ部１６を外嵌式のものとして構成してもよい。
【００４０】
以上のようにして構成された外構リフォーム構造１０において、取付部材１４のレール取付溝１４ｄ（又は１４ｅ）に仕切り部材としての門扉（図示省略）の門扉取付金具２８を取り付ければ、外構のリフォームが完了する。
【００４１】
なお、取付部材１４におけるレール取付部１４ｂ，１４ｃ間の溝が気になる場合には、図４に示すように、レール取付部１４ｂ，１４ｃ間の溝を覆う化粧板３０を必要に応じて取り付けるようにしてもよい。
【００４２】
ここで、化粧板３０は、一方のレール取付部１４ｂと、他方のレール取付部１４ｃとの間の溝を覆い隠す長尺板状の部材で、表側化粧板３０ａと裏側化粧板３０ｂとを有する。化粧板３０を使用する際には、２枚の化粧板３０ａ，３０ｂを、リブ１４ｆ，１４ｇを挟み込む状態で配置し、両者をネジ３１で固定すれば良い。表側化粧板３０ａの表面に溝や段差を設けるなど、意匠的な造形を施しておけば、外構リフォーム構造１０に意匠的な美感の向上を図ることが可能となる。
【００４３】
また、図５に示すように、取付部材１４におけるレール取付部１４ｃの端部に外構角柱Ｐの角部に沿うように位置決め用リブ１４ｈを設けておけば（もちろん、反対側のレール取付部１４ｂの端部であってもよいし、両方であってもよい）、この位置決め用リブ１４ｈを長尺外装部材１２の角部に沿わせるだけで垂直方向の位置決めが簡単にできるようになる。
【００４４】
上述実施例は、長尺外装部材１２の各辺幅が、取付対象である外構角柱Ｐの対応辺幅に対して十分に長く、その端部を切断してもその辺幅が外構角柱Ｐの対応辺幅の１／２以上となる場合、すなわち、隣合う長尺外装部材１２の端部同士が重なり合うか、或いは、その端部同士を付き合わせることができ、隣合う長尺外装部材１２の間に隙間が生じない場合について説明してきたが、たとえば図６に示す外構リフォーム構造１０のように、長尺外装部材１２の少なくとも一方の辺幅（図６では、外構角柱Ｐの長辺に沿う側の辺の辺幅）が、外構角柱Ｐの対応辺幅の１／２よりも短い場合には、隣合う長尺外装部材１２の間に隙間Ｘが生じて外構角柱Ｐに露出面が生じて美観を損ねてしまう。
【００４５】
このような場合は、板状の外装板材３２を別途用意し、この外装板材３２を長尺外装部材１２間の隙間Ｘに取り付けるようにすればよい（外装部材３２の外構角柱Ｐへの固定は、上述同様、ビス３４などを使用すればよい）。
【００４６】
このように、本実施例では、長尺外装部材１２の各辺幅が外構角柱Ｐの対応辺幅の１／２よりも短く、隣合う長尺外装部材１２間に隙間Ｘが生じて外構角柱Ｐが露出するような場合であっても、当該露出面を外装板材３２で覆うことができるので、外構リフォーム構造１０の美観を損なうことはない。
【００４７】
もちろん、図７に示すように、長尺外装部材１２の２つの各辺幅が、外構角柱Ｐの対応辺幅の１／２よりも短い場合であっても適用することが可能であり、この場合は、全ての隣合う長尺部材１２の間に生じた隙間Ｘを塞ぐように外装板材３２を取り付ければよい。
【００４８】
これまで述べてきた実施例は、全て、外構角柱Ｐの周囲に４つの長尺外装部材１２を取り付けるようにした例であったが、図８に示すように、長尺外装部材１２の各辺幅が外構角柱Ｐの対応辺幅よりも長い場合には、外構角柱Ｐの周囲を２つの長尺外装部材１２だけで覆うことも可能である。この場合も、各長尺外装部材１２は、外構角柱Ｐの角部に沿って設けられる。なお、図８の実施例では、外構角柱Ｐがフェンス柱であり、取付部材１４がフェンス取付金具装着用柱の場合を示しているが、外構角柱Ｐが門柱であり、取付部材１４が門扉取付金具装着用柱の場合に適用できることはいうまでもない。
【符号の説明】
【００４９】
１０…外構リフォーム構造
１２…長尺外装部材
１４…取付部材
１６…キャップ
３２…外装板材
Ｐ…外構角柱
Ｘ…隙間
【図１】
2011231587.tif 000003
【図２】
2011231587.tif 000004
【図３】
2011231587.tif 000005
【図４】
2011231587.tif 000006
【図５】
2011231587.tif 000007
【図６】
2011231587.tif 000008
【図７】
2011231587.tif 000009
【図８】
2011231587.tif 000010